【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を備える、ワイヤレス通信の方法。
【請求項２】
前記第１のＴＴＩ内の第３のＴＴＩを識別すること、ここにおいて、前記第３のＴＴＩがアップリンク送信のために構成される、
をさらに備える、請求項１に記載の方法。
【請求項３】
前記第２のＴＴＩと前記第３のＴＴＩとの間の第１のガード期間を識別すること、ここにおいて、前記第１のガード期間が前記第１のＴＴＩ内にある、
をさらに備える、請求項２に記載の方法。
【請求項４】
前記第１のＴＴＩまたは前記第２のＴＴＩを識別することが、
前記第１のＴＴＩまたは前記第２のＴＴＩを示す制御シグナリングを受信すること
を備える、請求項１に記載の方法。
【請求項５】
前記第１のＴＴＩ持続時間がロングタームエボリューション（ＬＴＥ）サブフレームを備え、前記第２のＴＴＩ持続時間が１つまたは複数のＬＴＥシンボル期間を備える、請求項１に記載の方法。
【請求項６】
前記第１のＴＴＩ持続時間を有し、ダウンリンク（ＤＬ）部分とアップリンク（ＵＬ）部分とガード期間とを備える特殊サブフレームを識別すること、前記ガード期間がアップリンクまたはダウンリンク送信のために構成された１つまたは複数のＴＴＩを備える、
をさらに備える、請求項１に記載の方法。
【請求項７】
前記第１のＴＴＩ中にデータを送信すること、
ここにおいて、前記第２のＴＴＩ中に受信される前記信号は、前記第１のＴＴＩ中に送信される前記データのための肯定応答（ＡＣＫ）または否定応答（ＮＡＣＫ）フィードバックを備える、
をさらに備える、請求項１に記載の方法。
【請求項８】
前記第２のＴＴＩを識別することは、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
のうちの少なくとも１つを備える、請求項１に記載の方法。
【請求項９】
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、請求項１に記載の方法。
【請求項１０】
前記第２のＣＣがＴＤＤ  ＣＣであり、前記第１のＴＴＩと前記第２のＴＴＩが両方とも半二重動作のために構成される、請求項９に記載の方法。
【請求項１１】
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおけるアップリンク送信のために構成された複数のＴＴＩと、ダウンリンク送信のために構成された少なくとも１つのＴＴＩとを備える、請求項９に記載の方法。
【請求項１２】
前記相補的送信構成が前記ＴＤＤキャリアと前記第２のＣＣとのためのオフセットフレーム構造を備える、請求項１１に記載の方法。
【請求項１３】
ＣＡ動作のために構成された前記複数のＣＣが、アップリンクまたはダウンリンク送信のためにそれぞれ構成された前記第１のＴＴＩ持続時間のＴＴＩを備えるフレームを有する第３のＣＣをさらに備える、請求項９に記載の方法。
【請求項１４】
前記第２のＴＴＩが、第１の時間期間中の前記ＴＤＤキャリア上のダウンリンク送信のために構成され、第２の時間期間中の前記第２のＣＣ上のダウンリンク送信のために構成される、請求項９に記載の方法。
【請求項１５】
ユーザ機器（ＵＥ）によって、時分割複信（ＴＤＤ）キャリアの第１の送信時間間隔（ＴＴＩ）を識別するための手段と、前記第１のＴＴＩがスロットまたはサブフレームの第１のＴＴＩ持続時間を有し、アップリンク送信のために構成される、
前記第１のＴＴＩ内の第２のＴＴＩを識別するための手段と、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信するための手段と
を備える、ワイヤレス通信のための装置。
【請求項１６】
ワイヤレス通信のための装置であって、
プロセッサと、
前記プロセッサと電子通信しているメモリと、
前記メモリに記憶された命令とを備え、ここにおいて、前記命令は、
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を前記装置に行わせるように前記プロセッサによって実行可能である、装置。
【請求項１７】
前記命令は、
前記第１のＴＴＩ内の第３のＴＴＩを識別すること、ここにおいて、前記第３のＴＴＩがアップリンク送信のために構成される、
を前記装置に行わせるように前記プロセッサによって実行可能である、請求項１６に記載の装置。
【請求項１８】
前記命令は、
前記第２のＴＴＩと前記第３のＴＴＩとの間の第１のガード期間を識別すること、ここにおいて、前記第１のガード期間が前記第１のＴＴＩ内にある、
を前記装置に行わせるように前記プロセッサによって実行可能である、請求項１７に記載の装置。
【請求項１９】
前記命令が、
少なくとも１つのＴＴＩを示す制御シグナリングを受信すること
を前記装置に行わせるように実行可能である、請求項１６に記載の装置。
【請求項２０】
前記第１のＴＴＩ持続時間がロングタームエボリューション（ＬＴＥ）サブフレームを備え、前記第２のＴＴＩ持続時間が１つまたは複数のＬＴＥシンボル期間を備える、請求項１６に記載の装置。
【請求項２１】
前記命令は、
前記第１のＴＴＩ持続時間を有し、ダウンリンク（ＤＬ）部分とアップリンク（ＵＬ）部分とガード期間とを備える特殊サブフレームを識別すること、前記ガード期間がアップリンクまたはダウンリンク送信のために構成された１つまたは複数のＴＴＩを備える、
を前記装置に行わせるように前記プロセッサによって実行可能である、請求項２０に記載の装置。
【請求項２２】
前記命令は、
前記第１のＴＴＩ中にデータを送信すること、
ここにおいて、前記第２のＴＴＩ中に受信される前記信号は、前記第１のＴＴＩ中に送信されるデータのための肯定応答（ＡＣＫ）または否定応答（ＮＡＣＫ）フィードバックを備える、
を前記装置に行わせるように前記プロセッサによって実行可能である、請求項１６に記載の装置。
【請求項２３】
前記命令が、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
を前記装置に行わせるように前記プロセッサによって実行可能である、請求項１６に記載の装置。
【請求項２４】
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、請求項１６に記載の装置。
【請求項２５】
前記第２のＣＣがＴＤＤ  ＣＣであり、前記第１のＴＴＩと前記第２のＴＴＩが両方とも半二重動作のために構成される、請求項２４に記載の装置。
【請求項２６】
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおけるアップリンク送信のために構成された複数のＴＴＩと、ダウンリンク送信のために構成された少なくとも１つのＴＴＩとを備える、請求項２４に記載の装置。
【請求項２７】
前記相補的送信構成が前記ＴＤＤキャリアと前記第２のＣＣとのためのオフセットフレーム構造を備える、請求項２６に記載の装置。
【請求項２８】
ワイヤレス通信のためのコードを記憶する非一時的コンピュータ可読媒体であって、前記コードは、
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を行うように実行可能な命令を備える、非一時的コンピュータ可読媒体。
【手続補正２】
【補正対象書類名】明細書
【補正対象項目名】０１５４
【補正方法】変更
【補正の内容】
【０１５４】
[0168]本明細書で説明した技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサル・モバイル通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術ならびに他のシステムおよび無線技術に使用され得る。しかしながら、上記の説明は、例としてＬＴＥシステムについて説明し、上記の説明の大部分においてＬＴＥ用語が使用されるが、本技法はＬＴＥの適用例以外に適用可能である。
以下に本願の出願当初の特許請求の範囲に記載された発明を付記する。
［Ｃ１］
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を備える、ワイヤレス通信の方法。
［Ｃ２］
前記第１のＴＴＩ内の第３のＴＴＩを識別すること、ここにおいて、前記第３のＴＴＩが前記第１の方向における送信のために構成される、
をさらに備える、Ｃ１に記載の方法。
［Ｃ３］
前記第２のＴＴＩと前記第３のＴＴＩとの間の第１のガード期間を識別すること、ここにおいて、前記第１のガード期間が前記第１のＴＴＩ内にある、
をさらに備える、Ｃ２に記載の方法。
［Ｃ４］
前記第１のＴＴＩまたは前記第２のＴＴＩを識別することが、
前記第１のＴＴＩまたは前記第２のＴＴＩを示す制御シグナリングを受信すること
を備える、Ｃ１に記載の方法。
［Ｃ５］
前記第１のＴＴＩ持続時間がロングタームエボリューション（ＬＴＥ）サブフレームを備え、前記第２のＴＴＩ持続時間が１つまたは複数のＬＴＥシンボル期間を備える、Ｃ１に記載の方法。
［Ｃ６］
前記第１のＴＴＩ持続時間を有し、ダウンリンク（ＤＬ）部分とアップリンク（ＵＬ）部分とガード期間とを備える特殊サブフレームを識別すること、前記ガード期間が前記第１または第２の方向における送信のために構成された１つまたは複数のＴＴＩを備える、をさらに備える、Ｃ１に記載の方法。
［Ｃ７］
前記第１の方向がアップリンク（ＵＬ）方向であり、前記第２の方向がダウンリンク（ＤＬ）方向であり、前記通信することが、
前記第２のＴＴＩ中に信号を受信すること
を備える、Ｃ１に記載の方法。
［Ｃ８］
前記第１の方向がダウンリンク（ＤＬ）方向であり、前記第２の方向がアップリンク（ＵＬ）方向であり、前記通信することが、
前記第２のＴＴＩ中に信号を送信すること
を備える、Ｃ１に記載の方法。
［Ｃ９］
前記第２のＴＴＩを識別することは、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
のうちの少なくとも１つを備える、Ｃ１に記載の方法。
［Ｃ１０］
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、Ｃ１に記載の方法。
［Ｃ１１］
前記第２のＣＣがＴＤＤ  ＣＣであり、前記第１のＴＴＩと前記第２のＴＴＩが両方とも半二重動作のために構成される、Ｃ１０に記載の方法。
［Ｃ１２］
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおける前記第１の方向における送信のために構成された複数のＴＴＩと、前記第２の方向における送信のために構成された少なくとも１つのＴＴＩとを備える、Ｃ１０に記載の方法。
［Ｃ１３］
前記相補的送信構成が前記ＴＤＤキャリアと前記第２のＣＣとのためのオフセットフレーム構造を備える、Ｃ１２に記載の方法。
［Ｃ１４］
ＣＡ動作のために構成された前記複数のＣＣが、前記第１または第２の方向のうちの１つにおける送信のためにそれぞれ構成された前記第１のＴＴＩ持続時間のＴＴＩを備えるフレームを有する第３のＣＣをさらに備える、Ｃ１０に記載の方法。
［Ｃ１５］
前記第２のＴＴＩが、第１の時間期間中の前記ＴＤＤキャリア上の第３の方向における送信のために構成され、第２の時間期間中の前記第３の方向における前記第２のＣＣ上の送信のために構成される、Ｃ１０に記載の方法。
［Ｃ１６］
時分割複信（ＴＤＤ）キャリアの第１の送信時間間隔（ＴＴＩ）を識別するための手段と、前記第１のＴＴＩが第１のＴＴＩ持続時間を有し、第１の方向における送信のために構成される、
前記第１のＴＴＩ内の第２のＴＴＩを識別するための手段と、前記第２のＴＴＩが第２のＴＴＩ持続時間を有し、前記第１の方向から逆方向である第２の方向における送信のために構成される、
前記第２のＴＴＩ中に前記第２の方向において通信するための手段と
を備える、ワイヤレス通信のための装置。
［Ｃ１７］
前記第１のＴＴＩ内の第３のＴＴＩを識別するための手段、ここにおいて、前記第３のＴＴＩが前記第１の方向における送信のために構成される、
をさらに備える、Ｃ１６に記載の装置。
［Ｃ１８］
前記第２のＴＴＩと前記第３のＴＴＩとの間の第１のガード期間を識別するための手段、ここにおいて、前記第１のガード期間が前記第１のＴＴＩ内にある、
をさらに備える、Ｃ１７に記載の装置。
［Ｃ１９］
前記第１のＴＴＩまたは前記第２のＴＴＩを識別するための前記手段が、
前記第１のＴＴＩまたは前記第２のＴＴＩを示す制御シグナリングを受信するための手段
を備える、Ｃ１６に記載の装置。
［Ｃ２０］
前記第１のＴＴＩ持続時間がロングタームエボリューション（ＬＴＥ）サブフレームを備え、前記第２のＴＴＩ持続時間が１つまたは複数のＬＴＥシンボル期間を備える、Ｃ１６に記載の装置。
［Ｃ２１］
前記第１のＴＴＩ持続時間を有し、ダウンリンク（ＤＬ）部分とアップリンク（ＵＬ）部分とガード期間とを備える特殊サブフレームを識別するための手段、前記ガード期間が前記第１または第２の方向における送信のために構成された１つまたは複数のＴＴＩを備える、
をさらに備える、Ｃ１６に記載の装置。
［Ｃ２２］
前記第１の方向がアップリンク（ＵＬ）方向であり、前記第２の方向がダウンリンク（ＤＬ）方向であり、通信するための前記手段が、
前記第２のＴＴＩ中に信号を受信するための手段
を備える、Ｃ１６に記載の装置。
［Ｃ２３］
前記第１の方向がダウンリンク（ＤＬ）方向であり、前記第２の方向がアップリンク（ＵＬ）方向であり、通信するための前記手段が、
前記第２のＴＴＩ中に信号を送信するための手段
を備える、Ｃ１６に記載の装置。
［Ｃ２４］
前記第２のＴＴＩを識別するための前記手段が、
前記第１のＴＴＩがシステム情報ブロック１（ＳＩＢ１）送信のためにスケジュールされないと決定するための手段、
前記第２のＴＴＩがセル固有基準信号（ＣＲＳ）送信のためにスケジュールされないと決定するための手段、あるいは
前記第２のＴＴＩが、物理ブロードキャストチャネル、同期チャネル、または共通探索空間のうちの少なくとも１つのために予約されたリソースブロックにおいてスケジュールされないと決定するための手段
を備える、Ｃ１６に記載の装置。
［Ｃ２５］
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、Ｃ１６に記載の装置。
［Ｃ２６］
前記第２のＣＣがＴＤＤ  ＣＣであり、前記第１のＴＴＩと前記第２のＴＴＩが両方とも半二重動作のために構成される、Ｃ２５に記載の装置。
［Ｃ２７］
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおける前記第１の方向における送信のために構成された複数のＴＴＩと、前記第２の方向における送信のために構成された少なくとも１つのＴＴＩとを備える、Ｃ２５に記載の装置。
［Ｃ２８］
前記相補的送信構成が前記ＴＤＤキャリアと前記第２のＣＣとのためのオフセットフレーム構造を備える、Ｃ２７に記載の装置。
［Ｃ２９］
ワイヤレス通信のための装置であって、
プロセッサと、
前記プロセッサと電子通信しているメモリと、
前記メモリに記憶された命令とを備え、ここにおいて、前記命令は、
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を前記装置に行わせるように前記プロセッサによって実行可能である、装置。
［Ｃ３０］
ワイヤレス通信のためのコードを記憶する非一時的コンピュータ可読媒体であって、前記コードは、
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を行うように実行可能な命令を備える、非一時的コンピュータ可読媒体。